(57)【特許請求の範囲】
【請求項１】
筐体の内部が複数のコンパートメントに区画され、母線とその母線から分岐した２回線以上の分岐回路を構成する機器とが、前記複数のコンパートメントのそれぞれに収容されたスイッチギヤにおいて、
前記分岐回路を構成する機器は前記筐体内の上段と下段に配置されると共に左右にずらせて配置され、
前記上段に配置された機器を収容する上段機器コンパートメントの側壁と前記筐体の側壁との間に形成される空間を、前記下段に配置された機器を収容する下段機器コンパートメントの筐体天井へ通じる経路とし、
前記母線を収容する母線コンパートメント及び全ての前記機器コンパートメントは、個別に前記筐体の天井部に直結されて外部へ開口する開口部を有し、前記下段機器コンパートメントの前記開口部の直下に下段に配置される前記分岐回路を構成する機器を配置し、
前記分岐回路を構成する機器は、前記分岐回路毎に少なくとも遮断器とその遮断器に接続されるケーブルであり、前記遮断器は前記母線コンパートメントの前方に配置された上段及び下段の遮断器コンパートメントに収容され、前記ケーブルは前記母線コンパートメントの後方に配置された上段及び下段のケーブルコンパートメントに収容され、
前記ケーブルコンパートメントに収容される前記ケーブルは、ケーブル引込部からケーブル端子までの途中において、少なくとも一箇所が支持金具によって前記ケーブルコンパートメントの壁面に支持されて前記ケーブルの外皮が接地されていることを特徴とするスイッチギヤ。
【請求項２】
請求項１記載のスイッチギヤにおいて、
前記各コンパートメントの内部から前記開口部へ向かう放圧経路で断面積が変化する部分は、緩やかに変化するように前記コンパートメントの壁面に傾斜が設けられていることを特徴とするスイッチギヤ。
【請求項３】
筐体の内部が複数のコンパートメントに区画され、母線とその母線から分岐した２回線以上の分岐回路を構成する機器とが、前記複数のコンパートメントのそれぞれに収容されたスイッチギヤにおいて、
前記分岐回路を構成する機器は前記筐体内の上段と下段に配置されると共に左右にずらせて配置され、
前記上段に配置された機器を収容する上段機器コンパートメントの側壁と前記筐体の側壁との間に形成される空間を、前記下段に配置された機器を収容する下段機器コンパートメントの筐体天井へ通じる経路とし、
前記母線を収容する母線コンパートメント及び全ての前記機器コンパートメントは、個別に前記筐体の天井部に直結されて外部へ開口する開口部を有し、前記下段機器コンパートメントの前記開口部と前記下段機器コンパートメントとが垂直方向に重なる部分を有し、前記分岐回路を構成する機器は、前記分岐回路毎に少なくとも遮断器とその遮断器に接続されるケーブルとを有し、前記遮断器は前記母線コンパートメントの前方に配置された上段及び下段の遮断器コンパートメントに収容され、前記ケーブルは前記母線コンパートメントの後方に配置された上段及び下段のケーブルコンパートンメントに収容され、
前記ケーブルコンパートメントに収容される前記ケーブルは、ケーブル引込部からケーブル端子までの途中において、少なくとも一箇所が支持金具によって前記ケーブルコンパートメントの壁面に支持されて前記ケーブルの外皮が接地されていることを特徴とするスイッチギヤ。
【発明の詳細な説明】
【技術分野】
【０００１】
この発明は、金属閉鎖形のスイッチギヤに関し、特にその放圧および換気の構造に関するものである。
【背景技術】
【０００２】
放圧板を備えた従来のスイッチギヤとして、例えば、接地金属製の筐体の前面側に、引出形の遮断器が上下に多段積みされて個別に収容された主回路機器室と、制御機器室とが左右に並べて配置され、制御機器室の後方に、縦方向に共通放圧ダクト室が設けられ、それらの後方には縦母線室，変流器室，水平母線室，ケーブル室が配置され、各室は隔壁で区画されており、区画された各室のうち、水平母線室を除き天井部と接する区画室は天井部に放圧板を有し、天井部に接しない区画室は共通放圧ダクト室に繋がって、その天井部に放圧板が備えられたスイッチギヤが開示されている（特許文献１参照）。
また、例えば、盤内を上下段の遮断器室，ケーブル室，主母線室に区画してその相互間を隔壁で離隔し、盤内の中央部と後部に縦方向の排気ダクトを設け、上段側に配置した機器室は直接天井に排気口を有し、下段の遮断器室，下段のケーブル室，及び主母線室は排気ダクトを経由して天井側と連通し、天井に排気口を有し、各排気口に放圧板が備えられた閉鎖配電盤が開示されている（特許文献２参照）。
【先行技術文献】
【特許文献】
【０００３】
【特許文献１】特開平１０−３２２８１１号公報（第３−４頁、図１−２）
【特許文献２】特開２０００−２２８８０３号公報（第３頁、図１−２）
【発明の概要】
【発明が解決しようとする課題】
【０００４】
特許文献１に示すようなスイッチギヤでは、直接放圧板を持たない機器室の内部で短絡事故等が発生すると、アークにより加熱膨張した空気で当該室内の圧力が上昇し、まず共通放圧ダクト室へ通じる放圧板が開放し、続いて共通放圧ダクト室天井の放圧板が開放して外部へ高温高圧ガスが放出されるようになっている。
また、特許文献２に示すようなスイッチギヤでは、下段側に配置された機器室内で短絡事故等が発生した場合、加熱膨張した空気は、排気ダクトを経由して天井側に向かい、天井側に設けられた放圧板が開放し、外部へ高温高圧ガスが放出されることで、スイッチギヤ内部の圧力上昇を抑制する。
【０００５】
しかしながら、共通放圧ダクト室を介して放圧する特許文献１のような構成では、共通放圧ダクト室と連通する他の室への影響を無くするために、共通放圧ダクト室へ通じる箇所にも放圧板が設けられているので、事故時の放圧流体の抵抗が大きくなり、また、共通放圧室の製作や組立にも手間が掛かるという問題点があった。
また、排気ダクトにより個別に放圧路を設けた特許文献２のような構成では、内部短絡事故時に発生する高温高圧ガスは、当該室の排気口からまず水平方向に排気ダクトへ放出され、直角方向に流路を変えて天井部の排出口に達するような経路をたどるので、やはり流体抵抗が大きくなる。
このため、例えば扉やカバーなど、高温高圧ガスがスイッチギヤ外部へ噴出する恐れのある箇所を含め、スイッチギヤ筺体の剛性を高めておく必要があった。特に故障電流が大きく、故障継続時間が長い大規模な電気事故の場合には、内部圧力上昇値が大きく、高温高圧ガスが放出する勢いが強くなり、外部に面した扉およびカバー部を含めてスイッチギヤを構成する筐体の剛性を更に補強するなど、スイッチギヤ製作にかかる費用が高くなる
という問題点があった。
【０００６】
この発明は上記のような問題点を解消するためになされたもので、主回路機器を収容するコンパートメントから天井部に設けた放圧口に至る経路を工夫することにより、内部短絡事故等で発生するコンパートメント内の圧力上昇を抑制することを目的とする。
【課題を解決するための手段】
【０００７】
この発明に係るスイッチギヤは、筐体の内部が複数のコンパートメントに区画され、母線とその母線から分岐した２回線以上の分岐回路を構成する機器とが、複数のコンパートメントのそれぞれに収容されたスイッチギヤにおいて、分岐回路を構成する機器は筐体内の上段と下段に配置されると共に左右にずらせて配置され、上段に配置された機器を収容する上段機器コンパートメントの側壁と筐体の側壁との間に形成される空間を、下段に配置された機器を収容する下段機器コンパートメントの筐体天井へ通じる経路とし、母線を収容する母線コンパートメント及び全ての機器コンパートメントは、個別に筐体の天井部に直結されて外部へ開口する開口部を有し、下段機器コンパートメントの開口部の直下に下段に配置される分岐回路を構成する機器を配置し、分岐回路を構成する機器は、分岐回路毎に少なくとも遮断器とその遮断器に接続されるケーブルであり、遮断器は母線コンパートメントの前方に配置された上段及び下段の遮断器コンパートメントに収容され、ケーブルは母線コンパートメントの後方に配置された上段及び下段のケーブルコンパートメントに収容され、ケーブルコンパートメントに収容されるケーブルは、ケーブル引込部からケーブル端子までの途中において、少なくとも一箇所が支持金具によってケーブルコンパートメントの壁面に支持されてケーブルの外皮が接地されているものである。
【発明の効果】
【０００８】
この発明のスイッチギヤによれば、分岐回路を構成する機器を筐体内の上段と下段でかつ左右にずらせて配置し、上段に配置された機器を収容する上段機器コンパートメントの側壁と筐体の側壁との間に形成される空間を、下段に配置された機器を収容する下段機器コンパートメントの筐体天井へ通じる経路とし、母線を収容する母線コンパートメント及び全ての機器コンパートメントは、個別に筐体の天井部に直結されて外部に開口する開口部を有し、下段機器コンパートメントの開口部の直下に下段に配置される分岐回路を構成する機器を配置し、分岐回路を構成する機器は、分岐回路毎に少なくとも遮断器とその遮断器に接続されるケーブルであり、遮断器は母線コンパートメントの前方に配置された上段及び下段の遮断器コンパートメントに収容され、ケーブルは母線コンパートメントの後方に配置された上段及び下段のケーブルコンパートメントに収容され、ケーブルコンパートメントに収容されるケーブルは、ケーブル引込部からケーブル端子までの途中において、少なくとも一箇所が支持金具によってケーブルコンパートメントの壁面に支持されてケーブルの外皮が接地されているので、スイッチギヤの筐体内部で短絡事故等によって発生した高圧・高温ガスを放出する際に、自身のコンパートメントから上方の天井部に設けた開口部に直接放圧することができるため、内部圧力の上昇を効率よく抑制することができる。
また、コンパートメントを構成する壁面やスイッチギヤの外部に面した扉及びカバー部等の補強を減らすことが可能となり、スイッチギヤの製作コストを低減できる。
更に、ケーブルの接地部分から下方はケーブルとコンパートメント側壁との絶縁距離を確保する必要が無いため、ケーブルの設置に必要なスペースは少なくてよく、スイッチギヤの小形化を図ることができる。
【図面の簡単な説明】
【０００９】
【図１】この発明の実施の形態１によるスイッチギヤの側面断面図である。
【図２】図１の正面側から見た上下段の遮断器コンパートメントを示す図である。
【図３】図１の矢印III−IIIから見た母線コンパートメントを示す図である。
【図４】図１の背面側から見たケーブルコンパートメントを示す図である。
【図５】図１の平面図である。
【図６】図１の上段遮断器コンパートメント示す斜視図である。
【図７】図１の下段遮断器コンパートメント示す斜視図である。
【図８】図１の母線コンパートメントを示す斜視図である。
【図９】図１の上段ケーブルコンパートメントを示す斜視図である。
【図１０】図１の下段ケーブルコンパートメントを示す斜視図である。
【図１１】この発明の実施の形態１によるスイッチギヤの他の例を示す側面断面図である。
【図１２】図１１の背面側から見たケーブルコンパートメントを示す図である。
【図１３】この発明の実施の形態１によるスイッチギヤの別の例を示す正面断面図及び背面断面図である。
【図１４】図１３の平面図である。
【図１５】この発明の実施の形態１によるスイッチギヤの更に別の例を示す側面断面図である。
【発明を実施するための形態】
【００１０】
実施の形態１．
図１は実施の形態１によるスイッチギヤを示す側面断面図であり、図２はその正面側から遮断器コンパートメント内部を見た図、図３は図１の矢印III−IIIから母線コンパートメントを見た図、図４は背面側からケーブルコンパートメント内部を見た図、図５は図１の平面図である。
まず図１によりスイッチギヤの内部構成について説明する。図に示すように、スイッチギヤを構成する接地金属製の筐体１の内部は、仕切板によって仕切られて複数のコンパートメントに区画されている。コンパートメントのそれぞれには、母線と母線から分岐した２回線以上の分岐回路を構成する機器とが収容されている。本実施の形態では、分岐回路を構成する機器として、遮断器とその遮断器に接続されるケーブルとを有する２回線の分岐回路を備えたスイッチギヤを例に説明する。
【００１１】
正面側の扉（図示せず）のすぐ後方は、制御機器（図示せず）が収容される制御機器コンパートメント２となっており、その後方の上部側は、引出形の遮断器３ａが収容される上段遮断器コンパートメント４であり、下部側は、同じく引出形の遮断器３ｂが収納される下段遮断器コンパートメント５である。
上段側の遮断器３ａと下段側の遮断器３ｂは図１で紙面に垂直方向にずらせて配置されているが、詳細は後述する。
各遮断器３ａ，３ｂは正面側から引き出し可能となっている。上段遮断器コンパートメント４、及び下段遮断器コンパートメント５の各後壁には、上下に所定の間隔を隔てて主回路断路部６ａ，６ｂ、及び６ｃ，６ｄが貫設されており、遮断器３ａ，３ｂの背面に突出した上下の接続端子と着脱できるようになっている。そして主回路断路部６ａ〜６ｄには、断路端子７ａ〜７ｄが設けられている。図１では、各遮断器３ａ，３ｂが主回路断路部から切り離されて少し前方に引き出された状態を示している。
【００１２】
両段遮断器コンパートメント４，５の後方で、筐体１の上下方向の中央部には、三相の母線８が支持碍子９に支持され収容された母線コンパートメント１０が配置されている。母線コンパートメント１０内では、上段側の遮断器３ａの接続端子の一端側に接続される主回路断路部６ｂの断路端子７ｂと、下段側の遮断器３ｂの接続端子の一端側に接続される主回路断路部６ｃの断路端子７ｃとが、分岐導体１１で接続されると共に、その分岐導体１１が母線８に接続されている。
【００１３】
母線コンパートメント１０の後方の上部側には、上段側の遮断器３ａの接続端子の他端側と接続される主回路断路部６ａの断路端子７ａに、負荷側のケーブル１２ａが接続されて収容された上段ケーブルコンパートメント１３が配置され、下段側には、下段側の遮断器３ｂの接続端子の他端側に接続される主回路断路部６ｄの断路端子７ｄに、負荷側のケーブル１２ｂが接続されて収容された下段ケーブルコンパートメント１４が配置されている。ケーブルコンパートメント１３と１４とは、図１で紙面に垂直方向にずらせて配置されているが、詳細な形状と内部構成については後述する。
【００１４】
上述のように、母線８から、上段の遮断器３ａを経由して上段のケーブル１２ａに接続され外部負荷へと導出される上段側の分岐回路と、母線８から、下段の遮断器３ｂを経由してケーブル１２ｂに接続され外部負荷へと導出される下段側の分岐回路の２回線を構成する機器が、各コンパートメントに収容されている。
なお、図１に示す筐体１の内部構成は、一例を示すものであり、図の配置構成に限定するものではない。通常は引出形機器を収納するコンパートメント、母線コンパートメント、ケーブルコンパートメント及び制御機器コンパートメントで構成されるが、ケーブルコンパートメントが無い場合もあり、またこれら以外の構成でも良い。
【００１５】
次に、各コンパートメントの詳細について説明する。
図２は、上段遮断器コンパートメント４と下段遮断器コンパートメント５の内部を正面側から見た図であり、両遮断器コンパートメント４，５の配置関係を示す図である。遮断器３aと遮断器３ｂは上段および下段の各遮断器コンパートメント４，５にそれぞれ配置
されている。図のように、上段の遮断器３ａを正面から見て右に配置し、下段の遮断器３ｂを正面からみて左に、中心をずらせて配置している。なお、遮断器３ａ，３ｂの左右方向の配置は逆（上段が左、下段が右）であってもよい。
両遮断器３ａ，３ｂを左右にずらせて配置することで、下段の遮断器３ｂの上方で、上段遮断器コンパートメント４の左壁と筐体１の左壁との間に形成される空間を、下段遮断器コンパートメント５の一部として利用し、この部分を下段遮断器コンパートメント５が直接筐体１の天井へ繋がる放圧路５ａとして確保している。
【００１６】
図６は、上段遮断器コンパートメント４のみを取り出した斜視図であり、（ａ）は正面右上から見た図、（ｂ）は背面右上から見た図である。内部収納機器を透視して示している。なお、以下の各斜視図でも図示方法と斜視方向は同様である。
上段遮断器コンパートメント４の天井部が筺体１の天井を兼ねており、ここに開口部２１を形成し、開口部２１を塞ぐように放圧板２２を設けている。図６で、実線で示した放圧板２２は、内部短絡事故後の開放した状態を示している（以下の斜視図も同様）。通常は、図２のように開口部２１は塞がれている。
なお、放圧板２２に、換気口とフィルタ等を設けて換気機能を持たせても良い（以下で説明する各放圧板も同様）。そうすれば、スイッチギヤの通常運転時に各コンパートメントで発生した熱を自らのコンパートメント天井部より外部へ放熱することが容易となり、スイッチギヤの内部温度上昇に対する放熱対策を安価に実施することが可能となる。
また、放圧板ではなく、放圧塔のようなものを備えても良いが、以下の説明では放圧板で代表して説明する。
【００１７】
図７は、下段遮断器コンパートメント５のみを取り出した斜視図であり、（ａ）は正面側から見た図、（ｂ）は背面側から見た図である。
下段遮断器コンパートメント５の上部に図６の上段遮断器コンパートメント４が組み合わされて上下の遮断器コンパートメントが形成される。
先に説明したように、放圧路５ａが筐体１の天井部に直接繋がっており、上面を筐体１の天井と兼用し、ここに放圧および放熱用の開口部２３を形成し、開口部２３を塞ぐように放圧板２４を設けている。
【００１８】
図７で示す開口部２３は図６の開口部２１よりも便宜上面積を小さくして描かれているが、天井部の開口部の面積は主に内部短絡事故時のアークエネルギー、コンパートメントの容積ならびに許容圧力によって決定されるものである。
また、下段遮断器コンパートメント５の放圧路５ａの断面積も、内部短絡事故時のアークエネルギー等から決まるので、必要最小の寸法にすればよく、それにより、上下段の遮断器３ａ，３ｂを筐体１の幅方向へずらせる寸法が決まってくる。
【００１９】
各遮断器コンパートメント４，５の区画において、内部機器収納部から開口部へ向かう放圧路における断面積が変化する箇所は、急激に変化させないように、コンパートメントの壁面に例えば４５°程度の傾斜を設け、断面積を緩やかに変化させている。これにより、下段遮断器コンパートメント５の内部で短絡事故等が発生した際の放圧時の流体抵抗を小さくすることが可能となり、放圧路に必要な断面積を縮小することが可能となる。
なお、以下に説明する他のコンパートメントにおいても、放圧路における断面積が変化する箇所の壁面は、上記と同様に、壁面に傾斜を設けて断面を緩やかに変化させるように形状にしているが、図を参照することで個々の説明は省略する。
【００２０】
次に、母線コンパートメント１０について説明する。
図３は図１において矢印III−III方向に見た母線コンパートメント１０部分を示す図である。要部以外は図示を省略している。先に説明した上段遮断器コンパートメント４は、正面側から見て右寄りに配置されており、それに対応して上段ケーブルコンパートメント１３も右寄りに配置されているので、左側にできたスペース（図３は背面から見ているので右側のスペース）を母線コンパートメント１０の放圧路１０ａとして利用している。放圧路１０ａは筐体１の天井に直通して上部は筐体１の天井を兼ねており、その天井に形成した開口部２５に放圧板２６を設けている。なお、放圧路１０ａの配置や形状は、遮断器コンパートメント４，５の配置によって変化する。
【００２１】
図８は、母線コンパートメント１０のみを取り出した斜視図であり、（ａ）は正面側から見た図、（ｂ）は背面側から見た図である。
図３及び図８に示すように、断路端子７ｂ，７ｃと母線８とを接続する分岐導体１１は、断路端子７ｂと７ｃを連結する真っ直ぐな分岐導体１１ａと、その分岐導体１１ａと母線８とを連結する分岐導体１１ｂとによって構成されている。このように、固定された断路端子７ｂおよび７ｃを直線導体の分岐導体１１ａで連結することで、分岐導体１１ａにかかる力に対する耐性を増大することが可能となり、母線８を支持する支持碍子９（図８参照）の数を削減することができる。
【００２２】
次に、上段ケーブルコンパートメント１３と下段ケーブルコンパートメント１４について説明する。
図４は、図１の背面側から見たケーブルコンパートメント１３，１４の配置を示す図である。図では、左側が上段ケーブルコンパートメント１３、右側が下段ケーブルコンパートメント１４の配置となっているが、ケーブルコンパートメントの配置は遮断器３ａ，３ｂの配置に依存するため、各遮断器コンパートメント４，５の配置によっては、各ケーブルコンパートメント１３，１４の配置および形状は変化する。
図９は、上段ケーブルコンパートメント１３のみを取り出した斜視図であり、図１０は下段ケーブルコンパートメント１４のみを取り出した斜視図である。いずれも、（ａ）は正面側から見た図、（ｂ）は背面側から見た図である。
【００２３】
図４及び図９により、まず上段ケーブルコンパートメント１３から説明する。
上段遮断器コンパートメント４がスイッチギヤの正面から見て右側に寄った構造となっているので、対応する上段ケーブルコンパートメント１３も正面から見て右側（図４のように裏面側から見て左側）に寄っている。
断路端子７ａとケーブル１２ａとの間は、接続導体１５ａによって接続され、その途中には変流器１６ａが貫通して設けられている。また断路端子７ａには接地開閉器１７ａが接続されている。
上段ケーブルコンパートメント１３の天井は筐体１の天井と兼用されており、開口部２７が形成されて、それを塞ぐように放圧板２８が設けられている。
【００２４】
ケーブル１２ａは、ケーブル引込部からケーブル端子までの途中に設けた支持金具１８ａでケーブル表面を接地した状態で固定される。下端側には零相変流器１９ａが貫通されており、それから先はスイッチギヤの外部に引き出されて他の電力機器に接続される。
支持金具１８ａから下の領域ではケーブル１２ａの表面は接地されているので、ケーブル表面と接地金属であるコンパートメントの側壁との絶縁距離を確保する必要が無いため、ケーブルの設置に必要なスペースは少なくてよい。そのため、ケーブルコンパートメント１３はスイッチギヤ内の上部側では、前述の接続導体１５ａ，変流器１６ａならびに接地開閉器１７ａ等を収納するために幅方向に必要スペースを確保し、下部側ではケーブル配線に併せて幅方向のスペースを縮小させ、支持金具１８ａ部から下方では、ケーブルコンパートメント１３の幅方向のスペースを必要最小限としている。
【００２５】
次に、図４及び図１０により下段ケーブルコンパートメント１４について説明する。
上段側と同様に、断路端子７ｄとケーブル１２ｂとの間は、接続導体１５ｂによって接続され、その途中には変流器１６ｂが貫通して設けられている。また断路端子７ｄには接地開閉器１７ｂが接続されている。
ケーブル１２ｂは途中に設けた支持金具１８ｂでケーブル表面を接地した状態で固定される。下端側には零相変流器１９ｂが貫通されており、それから先のケーブルはスイッチギヤの外部に引き出されて他の電力機器に接続される。
図４及び図１０に示すように、下部側で幅方向に最大のスペースをもち、上述の接続導体１５ｂ，変流器１６ｂならびに接地開閉器１７ｂ等を収容する。接続導体１５ｂの形状はケーブル１２ｂの端末処理に用いる長さを確保するために、可能な限り上下に長くしている。
【００２６】
図４の方向に見て、上段ケーブルコンパートメント１３の上部側の右壁と筐体１の右壁との間にできる空間を、下段ケーブルコンパートメント１４の放圧路１４ａとする。天井側は筐体１の天井と兼用されており、開口部２９が形成され、それを塞ぐように放圧板３０が設けられている。先に説明したように、放圧路の断面積が小さくなる箇所は、傾斜面を設けて滑らかに変化するようにしている。このようにコンパートメントを区画にすることで、放圧時の流体抵抗を抑制することができ、放圧経路に必要な断面積を縮小することが可能となる。
【００２７】
図５は図１の平面図であり、天井部を示した図である。放圧板は図示していない。正面側から見て、制御機器コンパートメント２、その後方の右側に開口部２１を有する上段遮断器コンパートメント４、左側に開口部２３を有する下段遮断器コンパートメント５、更に、上段遮断器コンパートメント４の後方は開口部２７を有する上段ケーブルコンパートメント１３、そして、下段遮断器コンパートメント５の後方は開口部２５を有する母線コンパートメント１０、更にその後方は開口部２９を有する下段ケーブルコンパートメント１４となっている。
各遮断器コンパートメント４，５と、母線コンパートメント１０及び各ケーブルコンパートメント１３，１４とが、それぞれスイッチギヤの天井を幅方向及び奥行き方向に区切る形で仕切られた構造となっている。
【００２８】
以上に説明したように、本願の特徴とするところは、制御機器コンパートメント２以外の、主回路機器を収容する全てのコンパートメントが、個別に筐体１の天井と直接繋がって開口部を有しており、各開口部に放圧板が設けられている点である。
上段と下段の機器の配置を左右にずらせることにより、上段機器コンパートメントの側壁と筐体の壁面とに形成されるスペースを、下段機器コンパートメントの放圧路に利用したので、必要以上にスイッチギヤの寸法を増加させることなく放圧路を確保できる。
各放圧板２２，２４，２６，２８，３０は、正常運転の状態では閉じられており、図１中に実線で示した状態であるが、万一スイッチギヤの筐体内部で事故が発生した時には、事故による高圧・高温ガスによって放圧板は開放され、事故のあったコンパートメントの放圧板が破線の状態となり、内部圧力と高温のガスを放出するようになっている。
【００２９】
以上までは、図１のように、負荷側のケーブルが筐体の床面側から引き込まれたものについて説明した。次に、図１の構成の変形例について説明する。
図１１は、図１の変形例のスイッチギヤを示す側面断面図であり、図１２はその背面から見たケーブルコンパートメントを示す断面図である。図１と同等部分は同一部号を付して説明を省略する。
相違点は、ケーブルの引き込み方向がスイッチギヤ天井部側からとなった点である。上段ケーブルコンパートメント３１及び下段ケーブルコンパートメント３２に収容される各ケーブル１２ａ，１２ｂは天井側から引き込まれている。この場合でも、図１の場合と同
様に、２つの遮断器３ａ，３ｂをそれぞれスイッチギヤ右上部ならびに左下部、或いはスイッチギヤの左上部ならびに右下部に配置することで、主回路機器を収納するコンパートメントの全てがスイッチギヤ天井部に直結する開口部をもつことが可能である。
【００３０】
次に、別の変形例について説明する。
図１３（ａ）は正面側から遮断器コンパートメント内部を見た図、（ｂ）は背面側からケーブルコンパートメント内部を見た図であり、図２及び図４に対応する図である。また図１４はその平面図であり図５に対応する図である。なお、側面図は図１と同等である。図１，図２，図４，図５と同等部分は同一符号で示して説明は省略し、相違点のみを説明する。
相違点は、天井部に開口する開口部の開口面積の差異を少なくした点である。このために、下段または中段のコンパートメントの天井へ通じる放圧路において、天井へ開口する近傍の側壁を、開口部が広がるように傾斜を持たせて形成している。
天井部の開口面積が広いほど、内部短絡時に発生する高圧高温ガスをスイッチギヤの外に排出する量が増えるため、内部圧力の上昇を抑制することができる。
【００３１】
そこで、図１３（ａ）に示すように、下段遮断器コンパートメント５の天井側は、その近傍で放圧路５ａの右側の側壁上部を斜め上方に傾斜させ、開口部３４を図２に比べて大きくした。同様に、図１３（ｂ）に示すように、下段ケーブルコンパートメント１４の天井側近傍も、放圧路１４ａの側壁を斜め上方に傾斜させ、開口部３７を図４に比べて大きくした。また、図示を省略しているが、母線コンパートメント１０の天井側近傍も同様にして開口部３５を大きく形成している。
これに伴い、図１４に示すように、上段遮断器コンパートメント４の開口部３３と上段ケーブルコンパートメント１３の開口部３６は図５と比較して小さくした。放圧経路の断面積が変化する箇所は、これまでと同様に放圧の流路に対して斜めに区画している。
【００３２】
このような構成により、内部短絡事故時の内部圧力上昇の抑制が上段側より困難とされる下段に配置される機器コンパートメントにおいて、内部圧力上昇の抑制を効果的に実現できる。
また、内部短絡事故時のアークエネルギーが増加し天井部の開口部の面積増加が必要な場合に、天井のスペースを有効に活用しながら、開口面積の差異を少なくできるので、スイッチギヤの筐体寸法が拡大するのを抑制できる。
【００３３】
更に、別の変形例について説明する。
図１５は、図１に対応する図であり、同等部分は同一符号で示して説明は省略し、相違点のみを説明する。
図１の場合では、母線コンパートメントは筐体１の上下方向の中央部に有り、３相の母線は上下方向に並べて配置されていたが、図１５の例では、母線８は、上端及び下段遮断器コンパートメント４，５の後方の上部側に、前後方向に並べて水平配置されている。
母線コンパートメント３８は、上部側母線コンパートメント部３８ａと、下部側母線コンパートメント部３８ｂと、この上下の母線コンパートメント部３８ａ，３８ｂを接続すると共に放圧路を兼ねる放圧路部３８ｃとから成っている。
【００３４】
上段ケーブルコンパートメント１３のケーブル１２ａは、主回路断路部６ｂに接続導体１５ａで接続されており、ここに接地開閉器１７ａが接続されている。図方向に見て、母線コンパートメント３８の放圧路部３８ｃは、図には現れてないが上段ケーブルコンパートメント１３の裏側に配置されている。（図８の放圧路１０ａに相当する位置）
上部側母線コンパートメント部３８ａには、母線８と主回路断路部６ａに接続される分岐導体１１ｂが収容され、下部側母線コンパートメント部３８ｂには、主回路断路部６ｃに接続される分岐導体１１ｂが収容され、放圧路部３８ｃには、主回路断路部６ａと６ｃ
を連結する分岐導体１１ａが収容されている。
このような構成においても、図１の場合と同様な作用効果を得ることができる。
【００３５】
なお、これまでの説明では、母線と母線から分岐した２回線の分岐回路を構成する機器とが各コンパートメントに収容されたものであったが、例えば３回線であっても良い。３回線の場合の一例を図２の正面図を参照して説明すれば、第３の回線の遮断器は、上段の遮断器３ａの右下にずらせて配置すればよい。そうすれば、上段側と下段側を筐体幅方向にずらせることで形成される幅方向の空間を、下段側コンパートメントの放圧路として利用することができる。
【００３６】
以上のように、実施の形態１によるスイッチギヤによれば、筐体の内部が複数のコンパートメントに区画され、母線とその母線から分岐した２回線以上の分岐回路を構成する機器とが、複数のコンパートメントのそれぞれに収容されたスイッチギヤにおいて、分岐回路を構成する機器は筐体内の上段と下段に配置されると共に左右にずらせて配置され、上段に配置された機器を収容する上段機器コンパートメントの側壁と筐体の側壁との間に形成される空間を、下段に配置された機器を収容する下段機器コンパートメントの筐体天井へ通じる経路とし、母線を収容する母線コンパートメント及び全ての機器コンパートメントは、個別に筐体の天井部に直結されて外部へ開口する開口部を有し、下段機器コンパートメントの開口部と下段機器コンパートメントとが垂直方向に重なる部分を有するので、スイッチギヤの筐体内部で短絡事故等によって発生した高圧・高温ガスを放出する際に、自身のコンパートメントから上方の天井部に設けた開口部に直接放圧することができるため、内部圧力の上昇を効率よく抑制することができる。
また、コンパートメントを構成する壁面やスイッチギヤの外部に面した扉及びカバー部等の補強を減らすことが可能となり、スイッチギヤの製作コストを低減できる。
【００３７】
また、分岐回路を構成する機器は、分岐回路毎に少なくとも遮断器とその遮断器に接続されるケーブルであり、遮断器は母線コンパートメントの前方に配置された上段及び下段の遮断器コンパートメントに収容され、ケーブルは母線コンパートメントの後方に配置された上段及び下段のケーブルコンパートンメントに収容されているので、ケーブルの引き込みが筐体の床側または天井側のいずれでも、各コンパートメントの開口部を天井側に容易に形成することができ、上記の効果を得ることができる。
【００３８】
また、ケーブルコンパートメントに収容されるケーブルは、ケーブル引込部からケーブル端子までの途中において、少なくとも一箇所を支持金具によってケーブルコンパートメントの壁面に支持してケーブルの外皮を接地したので、接地部分から下方はケーブルとコンパートメント側壁との絶縁距離を確保する必要が無いため、ケーブルの設置に必要なスペースは少なくてよく、スイッチギヤの小形化を図ることができる。
【００３９】
更に、各コンパートメントの内部から開口部へ向かう放圧経路で断面積が変化する部分は、緩やかに変化するようにコンパートメントの壁面に傾斜を設けたので、コンパートメントの内部で短絡事故等が発生した際の放圧時の流体抵抗を小さくでき、放圧経路に必要な断面積を縮小することが可能となる。したがって、スイッチギヤを小形化することができる。
【符号の説明】
【００４０】
１  筐体                                ２  制御機器コンパートメント
３ａ，３ｂ  遮断器                      ４  上段遮断器コンパートメント
５  下段遮断器コンパートメント          ５ａ  放圧路
６ａ〜６ｄ  主回路断路部                ７ａ〜７ｄ  断路端子
８  母線                                ９  支持碍子
１０  母線コンパートメント              １０ａ  放圧路
１１，１１ａ，１１ｂ  分岐導体          １２ａ，１２ｂ  ケーブル
１３  上段ケーブルコンパートメント      １４  下段ケーブルコンパートメント
１４ａ  放圧路                          １５ａ，１５ｂ  接続導体
１６ａ，１６ｂ  変流器                  １７ａ，１７ｂ  接地開閉器
１８ａ，１８ｂ  支持金具                １９ａ，１９ｂ  零相変流器
２１，２３，２５，２７，２９  開口部    ２２，２４，２６，２８，３０  放圧板
３１  上段ケーブルコンパートメント      ３２  下段ケーブルコンパートメント
３３〜３７  開口部                      ３８  母線コンパートメント
３８ａ  上部側母線コンパートメント部    ３８ｂ  下部側母線コンパートメント部
３８ｃ放圧路部。
【図１】
0005274608.tif 000002
【図２】
0005274608.tif 000003
【図３】
0005274608.tif 000004
【図４】
0005274608.tif 000005
【図５】
0005274608.tif 000006
【図６】
0005274608.tif 000007
【図７】
0005274608.tif 000008
【図８】
0005274608.tif 000009
【図９】
0005274608.tif 000010
【図１０】
0005274608.tif 000011
【図１１】
0005274608.tif 000012
【図１２】
0005274608.tif 000013
【図１３】
0005274608.tif 000014
【図１４】
0005274608.tif 000015
【図１５】
0005274608.tif 000016